(57)【要約】【課題】  座位姿勢と寝位姿勢とを取れる入浴用車椅子において安全を確保でき入浴に使用し易いサイドフェンス付搬送車を提供すること。【解決手段】  搬送車１の乗座部３は、基枠１５に軸支され、腰掛位置と後傾位置とに位置変更できるものであり、背凭れ１０は、座部フレーム２０に軸支され、座位置と傾位置と寝位置とに変更できるものであり、台車２には、受台１９が設けられ、サイドフェンス１４は、座部９の側部に軸支され、起立位置と裏位置とに変更できるものであり、乗座部３が後傾位置、背凭れ１０が寝位置、及びサイドフェンス１４が裏位置にある時、サイドフェンス１４の一部は背凭れ１０の上面より高位にあり、サイドフェンス１４は、入浴者の座位姿勢時の手摺サイドフェンスと、入浴者の寝位姿勢時の上半身サイドフェンスとを兼ねることを特徴とするサイドフェンス付搬送車である。【選択図】  図１
2011067468.tif 000002
【特許請求の範囲】
【請求項１】
搬送車１は、台車２と、台車２上に設けられる基枠１５と、基枠１５上に設けられる乗座部３とから構成され、乗座部３は、背凭れ１０と、座部９と、座部フレーム２０と、サイドフェンス１４と、下肢受け４と、フットレスト８とから構成され、乗座部３は、基枠１５に軸支され、腰掛位置と後傾位置とに位置変更できるものであり、背凭れ１０は、座部フレーム２０に軸支され、座位置と傾位置と寝位置とに変更できるものであり、台車２には受台１９が設けられ、サイドフェンス１４は、座部９の側部に軸支され、起立位置と裏位置とに変更できるものであり、
乗座部３が後傾位置、背凭れ１０が寝位置、及びサイドフェンス１４が裏位置にある時、サイドフェンス１４の一部は背凭れ１０の上面より高位にあり、サイドフェンス１４は、入浴者の座位姿勢時の手摺サイドフェンスと、入浴者の寝位姿勢時の上半身サイドフェンスとを兼ねることを特徴とするサイドフェンス付搬送車。
【請求項２】
サイドフェンス１４にはサイドフェンス１４の位置を選択して固定するロックピン３５が設けられ、座部フレーム２０にはロックピン３５が掛止される小穴１８が複数個開けられてなり、
サイドフェンス１４は、起立位置から裏位置に至る間の中間位置に固定できることを特徴とする請求項１記載のサイドフェンス付搬送車。
【請求項３】
サイドフェンス１４を軸支する軸受３７は、搬送車１の外方向に摺動可能な軸受３７であり、サイドフェンス１４は、垂下位置に変更できるものであり、サイドフェンス１４が垂下位置の時は、サイドフェンス１４を搬送車１の外方向に引き出したうえ後方回動し垂下状となり、乗座部３が後傾位置、背凭れ１０が寝位置、及びサイドフェンス１４が垂下位置にある時は、サイドフェンス１４が背凭れ１０の上面より上方へは突出せず、入浴者を寝位姿勢のままで移乗する時、サイドフェンス１４を垂下位置にできることを特徴とする請求項１記載のサイドフェンス付搬送車。
【発明の詳細な説明】
【技術分野】
【０００１】
本発明は、身体障害者及び高齢者（以下、要介護者）、特に要介護度の高い要介護者の介護入浴を行なうサイドフェンス付搬送車に関するものである。
【背景技術】
【０００２】
従来装置の特許文献１のものは、回動足乗台付入浴用車椅子において、座部フレームの前上部の左右に、回動部が設けられ、該回動部に足乗台が設けられ、回動部は、回動板を有し、回動板に足乗台の基部が取着されており、足乗台は車椅子部の正面向きと背面向きとの間で往復移動できることを特徴とする回動足乗台付入浴用車椅子である。この特許文献１に回動手摺が開示されている。
【先行技術文献】
【特許文献】
【０００３】
【特許文献１】特開２００７−３１３０９２号公報
【発明の概要】
【発明が解決しようとする課題】
【０００４】
特許文献１に記載された回動手摺は、後方回動して反転位置へ移動でき、座位位置で、乗降を容易にする効果が考えられる。しかし、特許文献１には、車椅子を寝位位置に変える構成の記載はなく、更に、寝位位置時の背凭れと回動手摺の位置関係に付いての記載もない。寝位姿勢の時の入浴用搬送車に設ける好適なサイドフェンスが要望されていた。
本発明の目的は、座位姿勢と寝位姿勢とを取れる入浴用車椅子において安全を確保でき入浴に使用し易いサイドフェンス付搬送車を提供するものである。
【課題を解決するための手段】
【０００５】
上記目的を実現する本発明は、搬送車１は、台車２と、台車２上に設けられる基枠１５と、基枠１５上に設けられる乗座部３とから構成され、乗座部３は、背凭れ１０と、座部９と、座部フレーム２０と、サイドフェンス１４と、下肢受け４と、フットレスト８とから構成され、乗座部３は、基枠１５に軸支され、腰掛位置と後傾位置とに位置変更できるものであり、背凭れ１０は、座部フレーム２０に軸支され、座位置と傾位置と寝位置とに変更できるものであり、台車２には、受台１９が設けられ、サイドフェンス１４は、座部９の側部に軸支され、起立位置と裏位置とに位置変更できるものであり、乗座部３が後傾位置、背凭れ１０が寝位置、及びサイドフェンス１４が裏位置にある時、サイドフェンス１４の一部は背凭れ１０の上面より高位にあり、サイドフェンス１４は、入浴者の座位姿勢時の手摺サイドフェンスと、入浴者の寝位姿勢時の上半身サイドフェンスとを兼ねることを特徴とするサイドフェンス付搬送車である。
又、サイドフェンス１４にはサイドフェンス１４の位置を選択して固定するロックピン３５が設けられ、座部フレーム２０にはロックピン３５が掛止される小穴１８が複数個開けられてなり、サイドフェンス１４は、起立位置から裏位置に至る間の中間位置に固定できる。
又、サイドフェンス１４を軸支する軸受３７は、搬送車１の外方向に摺動可能な軸受３７であり、サイドフェンス１４は、垂下位置にも変更できるものであり、サイドフェンス１４が垂下位置の時は、サイドフェンス１４を搬送車１の外方向に引き出したうえ後方回動し垂下状となり、乗座部３が後傾位置、背凭れ１０が寝位置、及びサイドフェンス１４が垂下位置にある時は、サイドフェンス１４が背凭れ１０の上面より上方へは突出せず、入浴者を寝位姿勢のままで移乗する時、サイドフェンス１４を垂下位置にできる。
【発明の効果】
【０００６】
本発明の乗座部３が後傾位置、背凭れ１０が寝位置、及びサイドフェンス１４が裏位置にある時、サイドフェンス１４の一部は背凭れ１０の上面より高位にあり、サイドフェンス１４は、入浴者の座位姿勢時の手摺サイドフェンスと、入浴者の寝位姿勢時の上半身サイドフェンスとを兼ねるから、１個のサイドフェンス１４で、座位姿勢時と寝位姿勢時の両姿勢の入浴者の、安全、安心を確保でき、好都合である。
又、入浴者の重心は上半身にあるから、寝位姿勢にあって寝返りさせる時には上半身を支える方が有効であり支え易いという状況下にある。この状況下で、垂下位置にあるサイドフェンス１４は、転落防止に効果を発揮し、安全確保に効果を発揮し、好都合である。
又、サイドフェンス１４が上半身サイドフェンスを兼ねるので、別個に上半身サイドフェンスを設ける必要が無く、部品点数及び製造コストを削減でき、好都合である。
【０００７】
本発明のサイドフェンス１４は、起立位置と裏位置の中間の中間位置に変更でき、サイドフェンス１４の位置はロックピン３５を嵌める小穴１８の選択により行なえ、サイドフェンス１４を中間位置に固定する時は、ロックピン３５を中間位置用小穴１８ｂに掛止して行なうものである。
この構成によれば、入浴者の状態に合わせて、サイドフェンス１４の高さを調節し、一層の安全と安楽を確保でき、好都合である。
【０００８】
本発明は、乗座部３が後傾位置、背凭れ１０が寝位置、及びサイドフェンス１４が垂下位置にある時は、サイドフェンス１４が背凭れ１０の上面より上方へ突出せず、入浴者を寝位姿勢のまま移乗するときサイドフェンス１４を垂下位置にできるから、
入浴者を、寝位姿勢のまま乗座部３上へ移乗する時、サイドフェンス１４が障害とならず、移乗介助が容易であり、好都合である。
又、サイドフェンス１４の位置を変更する操作を、サイドフェンス１４を搬送車の外方向へ摺動させたうえ自重に任せて垂下させるという簡単な操作で行なえ、好都合である。
【図面の簡単な説明】
【０００９】
【図１】本発明の実施例１の右側面図である。
【図２】本発明の実施例１の背凭れ１０を後傾した右側面図である。
【図３】本発明の実施例１の軸受３７を示す図である。
【発明を実施するための形態】
【実施例１】
【００１０】
以下、図１乃至３を参照しつつ本発明の実施例１を説明する。
サイドフェンス付搬送車５は、入浴者を搬送及び入浴させる搬送車１に、回動するサイドフェンス１４を設けたものである。
搬送車１は、台車２と、台車２上に設けられる基枠１５と、基枠１５上に設けられる乗座部３とから構成される。
【００１１】
乗座部３と基枠１５とにわたって、乗座部３を腰掛位置と後傾位置とに位置変更できるチルト機構１１が設けられる。
チルト機構１１は、基枠１５に設けられる支持片２７、後傾受具１６、及び鉤片１７と、乗座部３に設けられる解除具２９とからなる。
支持片２７は乗座部３を軸支するものであり、後傾受具１６は乗座部３を後傾位置に受けるものであり、鉤片１７は乗座部３を腰掛位置と後傾位置とのいずれかに固定・解除するものである。
【００１２】
乗座部３には、背凭れ１０と、座部９と、座部フレーム２０と、サイドフェンス１４と、下肢受け４と、フットレスト８と、乗座部３を腰掛位置に止める突起具２１と、軸３３と、掛片２２と、鉤片１７を解除する解除具２９が設けられる。
座部フレーム２０には鉤片１７に掛かる掛片２２が設けられる。
基枠１５には、鉤片１７が掛片２２から外れるのを防ぐコイルバネ２３が設けられる。
台車２には、回動して来たサイドフェンス１４を受ける受台１９が設けられる。
【００１３】
座部９に対する背凭れ１０の角度を広げ、背凭れ１０を後傾させるリクライニング機構２４が設けられる。
リクライニング機構２４は、座部フレーム２０に設けられる受板２５と、背凭れ１０に設けられるつっかい棒２６、及びつっかい棒２６を回動させる操作具３０とからなる。
受板２５には凹部３１が３個縦方向に形成され、つっかい棒２６の下端は、３個の凹部３１のいずれかに嵌るものである。つっかい棒２６には抜け止め用のつる巻きバネ３２が設けられる。
背凭れ１０は、リクライニング機構２４を操作して、座部フレーム２０の軸３３を中心に回動し、座位置と傾位置と寝位置とに変更できるものである。
【００１４】
下肢受け４は、下肢フレーム７と、下肢フレーム７の先部に取着されるフットレスト８と、下肢フレーム７の上部に取着され入浴者の下腿（＝脹脛ほか）を受ける下腿受け６とからなる。
下肢受け４は、搬送車１の正面向きに取着され、前・後取付軸１２・１３を中心に垂下位置から水平位置に回動できる。水平位置に変えた時は振り子状操作具３４で固定する。
【００１５】
サイドフェンス１４は、座部９の左右側部に軸支されて設けられる。
横軸３６は、座部フレーム２０に設けられ、側方向にかつ水平に突設する。
【００１６】
サイドフェンス１４を軸支する軸受３７は、前記横軸３６に外嵌され、搬送車１の外方向に摺動可能である。
軸受３７は横軸３６に摺動可能に被さる筒３８であり、該筒３８にはユ字を仰臥した形（＝仰臥ユ字形）の穴３９が開けられる。(図３参照)
仰臥ユ字形の穴３９に、横軸３６に設けられた突起４０が嵌る。サイドフェンス１４の回動は、仰臥ユ字形の穴３９と突起４０によって規制される。
即ち、前記規制は、サイドフェンス１４を僅か上方向へ回動させた中間位置（＝サイドフェンス１４が僅か持ち上がった中間位置）と、後方向回動の回動端（＝サイドフェンス１４の裏位置）と、筒３８を外方向へ摺動端まで抜いたうえ後方向へ回動させた回動端（＝サイドフェンス１４の垂下位置）とを規制する。
【００１７】
サイドフェンス１４は、起立位置と、中間位置と、裏位置と垂下位置との４箇位置に変更できるものである。
サイドフェンス１４が起立位置は、サイドフェンス１４は後記するロックピン３５を起立位置用小穴１８ａに嵌めて起立位置に掛止したものである。
サイドフェンス１４が裏位置の時は、サイドフェンス１４の遊端部分が受台１９に載って固定される。
サイドフェンス１４が垂下位置の時は、サイドフェンス１４を搬送車１の外方向に、移動端まで全部引く出したうえ、裏位置より更に後下方向に回動させ垂下状にしたものである。
サイドフェンス１４にはサイドフェンス１４の位置を選択して固定するロックピン３５が設けられ、座部フレーム２０にはロックピン３５が掛止される小穴１８が複数個開けられる。
サイドフェンス１４の中間位置は、起立位置と裏位置との間の位置に固定したものをいい、ロックピン３５を引き出したうえ、サイドフェンス１４の遊端側を上方向へ上げ、ロックピン３５を中間位置用小穴１８ｂに嵌めて掛止したものである。
【００１８】
乗座部３が後傾位置にあって、背凭れ１０が寝位置にあって、かつ、サイドフェンス１４が裏位置にある時、サイドフェンス１４の一部は背凭れ１０の上面より高位にある。
サイドフェンス１４は、入浴者の座位姿勢時の手摺サイドフェンスと、入浴者の寝位姿勢時の上半身サイドフェンスとを兼ねるものである。
【００１９】
乗座部３が後傾位置にあって、背凭れ１０が寝位置にあって、且つ、サイドフェンス１４が垂下位置にある時は、サイドフェンス１４が背凭れ１０の上面より突出しない位置となる。
寝位姿勢の入浴者を乗座部３へ移乗する時などはサイドフェンス１４を垂下位置にできるものである。
【００２０】
前記筒３８には鍔状片４１が設けられ該鍔状片４１に、搬送車１の内方向に付勢されサイドフェンス１４を起立位置にロックするロックピン３５が設けられる。
座部フレーム２０には止め体４２が設けられ、この止め体４２には、ロックピン３５の先部が嵌る複数個の小穴１８（＝起立位置用小穴１８ａと中間位置用小穴１８ｂ）が開けられる。
ロックピン３５は、その基部には環２８が取着され、介助者によって退出方向（＝搬送車１の外方向）に移動可能である。退出方向に移動すれば、ロックが解除される構成である。
【００２１】
入浴の際、座位置の搬送車１へ入浴者を乗せる。その時、先ず、起立位置のサイドフェンス１４を、後方回動し裏位置に変更し、座部９の側部からサイドフェンス１４を取り除く。
サイドフェンス１４を起立位置から裏位置へ変更する時は、介助者は環２８を持ってロックピン３５を引き、サイドフェンス１４を持って後方回動し、裏位置へ移動する。
【００２２】
搬送車１へ入浴者を乗せた後、サイドフェンス１４を裏位置から起立位置へ戻し、浴槽（図示省略）の正面へ搬送する。
入浴者の状態や要求に応じてサイドフェンス１４を高くする場合は、サイドフェンス１４のロックピン３５を引き、サイドフェンス１４の遊端側を持ち上げ、ロックピン３５を中間位置用小穴１８ｂへ嵌め、サイドフェンス１４を中間位置に変更し固定する。
入浴者を座位姿勢で事前洗浄する。臀部を洗浄する時は、寝位姿勢にすると行ない易い。即ち、チルト機構１１を操作して乗座部３を、起立位置から後傾位置に変更する。更に、リクライニング機構２４を操作して、背凭れ１０を、寝位置にする。
【００２３】
介助者はチルト機構１１を操作する。先ず、背凭れ１０を僅か持ち上げ、解除具２９を引き、鉤片１７を後方回動させる。背凭れ１０を降ろす。解除具２９を放すと、掛片２２が鉤片１７の切り欠き部へ嵌り、乗座部３は後傾位置にロックされる。
介助者はリクライニング機構２４を操作する。先ず、介助者は背凭れ１０を僅か前方へ押し、操作具３０を引き、つっかい棒２６を前方回動させる。
背凭れ１０を後方回動しながら、つっかい棒２６を下方の凹部３１へ嵌め、操作具３０を放す。
つっかい棒２６が下方の凹部３１へ嵌まり、背凭れ１０は傾位置又は寝位置にロックされる。つっかい棒２６が上位の凹部３１から中位の凹部３１へ変更嵌合すると背凭れ１０は傾位置となり、つっかい棒２６が中位の凹部３１から下位の凹部３１へ変更嵌合すると背凭れ１０は寝位置となる。
【００２４】
乗座部３が座位置のとき、起立位置のサイドフェンス１４は、手摺サイドフェンスの機能を果たす。一方、乗座部３が寝位置のとき、裏位置のサイドフェンス１４は、上半身サイドフェンスの機能を果たす。
臀部を洗う時、入浴者を、寝位姿勢にし、続いて横臥させ、臀部を洗う。この時、入浴者の転落防止のため、サイドフェンス１４を起立位置から裏位置に変更する。前記裏位置では、サイドフェンス１４の一部が背凭れ１０より高位にあって、上半身サイドフェンスの機能を果たす。
【００２５】
座位姿勢になれない入浴者に付いては乗座部３を寝位置にし、更に、サイドフェンス１４を垂下位置にして、乗座部３の側部のサイドフェンス１４を取り除いた状態下で、入浴者を乗座部３へ移乗させる。
サイドフェンス１４を起立位置から垂下位置へ変更する時は、介助者は環２８を持ってロックピン３５を引き、ロックピン３５の先部を小穴１８から抜き、サイドフェンス１４を少し後方回動し直ぐにサイドフェンス１４を搬送車１の外方向へ引き動かし、次に、サイドフェンス１４を後方回動させ、垂下位置へ移動させる。垂下位置のサイドフェンス１４は、突起４０が穴３９に規制されて掛止固定する。
【００２６】
入浴者を乗座部３に乗せた後、搬送車１を搬送するが、その際、寝位置では搬送車１を扱い難いので、背凭れ１０を寝位置から後傾位置に変更したうえ、浴槽の正面へ搬送する。
同様に、洗浄が終わると入浴を行なうが、その際、リクライニング機構２４を操作して、背凭れ１０を寝位置から後傾位置へ戻す。
【００２７】
図示を省略するが、浴槽の扉を開け、搬送車１を前方へ移動させて、浴槽へ押し込む。
この時、乗座部３と台車２が分離し、乗座部３は前記浴槽内に入り、台車２は前記浴槽下方外部の空間へ進入する。
前記扉を閉め、浴槽に湯を入れ、入浴する。
暫時後、退浴する。浴槽の湯を抜き、扉を開け、乗座部３を浴槽から出す。この時、乗座部３が台車２に掛かり、浴槽から出た時には、乗座部３は台車２に載設され、元の搬送車１となる。
【産業上の利用可能性】
【００２８】
本発明は、身体障害者及び高齢者（以下、要介護者）、特に要介護度の高い要介護者の介護入浴を行なうサイドフェンス付搬送車５に適用できる。
又、本発明は、乗座部３が後傾位置にあって背凭れ１０が寝位置にあってサイドフェンス１４が裏位置にある時、サイドフェンス１４の一部は背凭れ１０の上面より高位にあり、サイドフェンス１４は、入浴者の座位姿勢時の手摺サイドフェンスと、入浴者の寝位姿勢時の上半身サイドフェンスとを兼ねることを特徴とするサイドフェンス付搬送車に適用できる。
【符号の説明】
【００２９】
１    搬送車
２    台車
３    乗座部
４    下肢受け
５    サイドフェンス付搬送車
８    フットレスト
９    座部
１０    背凭れ
１４    サイドフェンス
１５    基枠
１８    小穴
１９    受台
２０    座部フレーム
３５    ロックピン
３７    軸受
【図１】
2011067468.tif 000003
【図２】
2011067468.tif 000004
【図３】
2011067468.tif 000005